(57)【要約】【課題】重金属イオンを含む下排水を直接あるいはその一次処理水を、沈降分離等の処理を行わずに、ＲＯ膜やＮＦ膜へ供給可能としてコスト、設置面積の低減を図り、簡素なシステムにて所望の高度処理を行なうことを可能とした水処理方法、装置を提供する。【解決手段】重金属イオンを含む下排水またはその一次処理水を原水とし、この原水を直接、内圧型中空糸逆浸透膜または内圧型中空糸ナノフィルトレーション膜からなる内圧型中空糸分離膜に供給して重金属イオンの濃度を低減させることを特徴とする水処理方法および水処理装置。【選択図】図１
2005046802.tif 000002
【特許請求の範囲】
【請求項１】
重金属イオンを含む下排水またはその一次処理水を原水とし、この原水を直接、内圧型中空糸逆浸透膜または内圧型中空糸ナノフィルトレーション膜からなる内圧型中空糸分離膜に供給して重金属イオンの濃度を低減させることを特徴とする水処理方法。
【請求項２】
前記内圧型中空糸分離膜にて処理された透過水に含まれる有機ハロゲン系化合物の濃度を、原水の１％以下にする、請求項１の水処理方法。
【請求項３】
前記内圧型中空糸分離膜に親水性素材からなるものを使用する、請求項１または２の水処理方法。
【請求項４】
前記親水性素材がセルロース系材料を含む素材からなる、請求項３の水処理方法。
【請求項５】
前記内圧型中空糸分離膜に前記原水を導入する原水導入管に洗浄用水を供給して少なくとも該原水導入管を洗浄するとともに、洗浄後の水を、実質的に内圧型中空糸分離膜へは導入させずに該原水導入管を通過させ、該原水導入管に接続された洗浄用水排水管を通して排出する、請求項１〜４のいずれかに記載の水処理方法。
【請求項６】
前記洗浄用水を前記内圧型中空糸分離膜からの濃縮水導出管にも供給して少なくとも該濃縮水導出管を洗浄する、請求項５の水処理方法。
【請求項７】
前記洗浄用水による洗浄後に、前記内圧型中空糸分離膜に対し薬液を通液して分離膜を洗浄する、請求項５または６の水処理方法。
【請求項８】
前記薬液を循環、通液する、請求項７の水処理方法。
【請求項９】
洗浄に使用された薬液を固液分離し、分離された薬液を洗浄に再利用する、請求項８の水処理方法。
【請求項１０】
前記内圧型中空糸分離膜を洗浄するための薬液を循環、通液するに際し、洗浄に使用された薬液を固液分離し、分離された薬液を洗浄に再利用する、請求項１〜４のいずれかに記載の水処理方法。
【請求項１１】
分離された薬液を薬液タンクに貯留した後洗浄に再利用する、請求項９または１０の水処理方法。
【請求項１２】
重金属イオンを含む下排水またはその一次処理水を原水とし、この原水を直接、内圧型中空糸逆浸透膜または内圧型中空糸ナノフィルトレーション膜からなる内圧型中空糸分離膜に供給して重金属イオンの濃度を低減させることを特徴とする水処理装置。
【請求項１３】
前記内圧型中空糸分離膜にて処理された透過水に含まれる有機ハロゲン系化合物の濃度を、原水の１％以下にする、請求項１２の水処理装置。
【請求項１４】
前記内圧型中空糸分離膜が親水性素材からなる、請求項１２または１３の水処理装置。
【請求項１５】
前記親水性素材がセルロース系材料を含む素材からなる、請求項１４の水処理装置。
【請求項１６】
前記内圧型中空糸分離膜に前記原水を導入する原水導入管に、該原水導入管に供給された洗浄用水を実質的に内圧型中空糸分離膜へは導入させずに該原水導入管を通過させて排出する洗浄用水排水管が接続されている、請求項１２〜１５のいずれかに記載の水処理装置。
【請求項１７】
前記洗浄用水を前記内圧型中空糸分離膜からの濃縮水導出管にも供給可能な洗浄用水供給系を備えている、請求項１６の水処理装置。
【請求項１８】
前記内圧型中空糸分離膜に対し、薬液を通液して分離膜を洗浄する薬液洗浄系が設けられている、請求項１６または１７の水処理装置。
【請求項１９】
前記薬液洗浄系が循環系に構成されている、請求項１８の水処理装置。
【請求項２０】
前記薬液循環系に固液分離装置が設けられている、請求項１９の水処理装置。
【請求項２１】
前記内圧型中空糸分離膜に薬液を通液して洗浄するとともに該薬液を循環させる薬液循環系を有し、該薬液循環系に、固液分離装置が設けられている、請求項１２〜１５のいずれかに記載の水処理装置。
【請求項２２】
前記薬液循環系に、前記固液分離装置により分離された薬液を貯留する薬液タンクが設けられている、請求項２０または２１の水処理装置。
【発明の詳細な説明】
【技術分野】
【０００１】
本発明は、水処理方法および装置に関し、とくに、簡素なシステムにより、産業廃水、生活廃水などの下排水を直接または一次処理した後、高度処理することによって重金属イオン濃度を低減できるようにした水処理方法および装置に関する。
【背景技術】
【０００２】
従来より、廃水処理においては、活性汚泥法をはじめとする生物処理等によって有機物、窒素、りんなどの処理を行ない（一次処理）、さらに沈降分離や濾過等によって環境規制値以下の汚濁物質濃度としてから下排水として放流してきた。しかし近年、廃水量の増大や環境規制の強化などにより、下排水として放流せずに、逆浸透膜（以下、ＲＯ膜と略称することもある。）やナノフィルトレーション膜（以下、ＮＦ膜と略称することもある。）を用いたさらなら高度処理を行なって、例えばトイレ用水、植栽用水、魚（飼育）用水などに再利用するケースが増加してきている（例えば、特許文献１）。
【特許文献１】特開２００３−１０３２９７号公報
【発明の開示】
【発明が解決しようとする課題】
【０００３】
ところが、重金属イオンの一部は、微生物中に取り込まれ、沈降分離や濾過によって取り除くことが可能であるが、水中に溶解している重金属イオンは、これらの方法で除去することが不可能である。
【０００４】
高度処理としては、下排水中の重金属イオンを取り除く目的で、ＲＯ膜またはＮＦ膜が用いられることが多くある。これは、従来型の生物処理＋沈降分離もしくは生物処理＋濾過の後段にさらに装置を設置するものであり、コスト、設置面積の増大を招いている。しかし、ＲＯ膜またはＮＦ膜の構造が、スパイラル型であったり、外圧型中空糸の場合、沈降分離や濾過を省略すると、原水流路の閉塞が生じ、通水差圧の上昇、さらには膜処理装置の破損が生じかねない。したがって、これらの形態の分離膜を使用する限り、高度処理に対する除濁目的の前処理を省略することは困難である。
【０００５】
そこで本発明の課題は、上記のような実情に鑑み、重金属イオンを含む下排水を直接あるいはその一次処理水を、沈降分離等の処理を行うことなく、ＲＯ膜やＮＦ膜へ供給可能としてコスト、設置面積の低減を図り、簡素なシステムにて所望の高度処理を行なうことを可能とした水処理方法および装置を提供することにある。
【課題を解決するための手段】
【０００６】
上記課題を解決するために、本発明者らは鋭意検討を行なった結果、とくに、（１）重金属イオンを含む下排水の一次処理水を処理するにあたり、内圧型中空糸ＲＯ膜またはＮＦ膜を使用することで、沈降分離や濾過を省略でき、システムの簡略化が可能であること、（２）適切な洗浄系の配管構成により、濁質等の排除が容易に行えること、（３）薬液洗浄系に工夫を加えることにより薬液使用量を低減できること、（４）膜の素材として、セルロース系を含む素材が好ましいこと、などを見出し、本発明を完成するに至った。
【０００７】
すなわち、本発明に係る水処理方法は、重金属イオンを含む下排水またはその一次処理水を原水とし、この原水を直接、内圧型中空糸逆浸透膜または内圧型中空糸ナノフィルトレーション膜からなる内圧型中空糸分離膜に供給して重金属イオンの濃度を低減させることを特徴とする方法からなる。このような内圧型中空糸分離膜の使用により、従来のような除濁目的の前処理を行うことなく、被処理水としての原水を直接、内圧型中空糸分離膜に供給して重金属イオンを低減させることが可能となり、システムの簡略化、設置面積の低減、低コスト化が可能となる。本発明においてこのように省略される除濁目的の前処理とは、ＲＯ膜またはＮＦ膜を使用した高度処理に対する前処理で凝集沈澱処理や濾過処理、膜処理などを言い、単に粗大ごみを除去する目的で設置されるストレーナなどは排除されない。なお、本発明において用いる原水としては、亜鉛、カドミウム、パラジウム、砒素、スズなどの重金属イオンを含む下排水またはその一次処理水であれば特に制限されず、生活廃水、産業廃水を活性汚泥法による生物処理を行なった処理水などを例示することができる。
【０００８】
上記のような本発明に係る水処理方法においては、上記内圧型中空糸分離膜にて処理された透過水に含まれる有機ハロゲン系化合物の濃度を、原水の１％以下にすることが好ましい。このように処理することにより、原水中に含まれるダイオキシン類等の有機ハロゲン系化合物を大幅に除去、低減できる。
【０００９】
また、上記内圧型中空糸分離膜に親水性素材からなるものを使用することが好ましく、とくにセルロース系材料（例えば、酢酸セルロース）を含む素材からなることが好ましい。内圧型中空糸分離膜にこのような親水性素材からなるもの、中でもセルロース系の素材を用いることにより、とくに、膜面への汚染物質の付着が抑制され、Ｆｌｕｘの低下が起こりにくくなり、膜処理装置の寿命が長くなり、所期の目的が達成される。
【００１０】
また、本発明に係る水処理方法においては、所定期間処理を行った後に、以下のような洗浄を行うことにより、分離膜の性能を効率よく回復させることが可能である。すなわち、上記内圧型中空糸分離膜に上記のような原水を導入する原水導入管に洗浄用水を供給して少なくとも該原水導入管を洗浄するとともに、洗浄後の水を、実質的に内圧型中空糸分離膜へは導入させずに該原水導入管を通過させ、該原水導入管に接続された洗浄用水排水管を通して排出することができる。供給された洗浄用水により原水導入管内に堆積していた濁質等が洗い流されて除去され、除去された濁質等は分離膜側には流されずにそのまま洗浄用水排水管を通して排出されるので、除去された濁質等の分離膜への再付着が防止され、分離膜を薬液洗浄する際の薬液使用量が大幅に低減される。
【００１１】
また、上記のような洗浄においては、上記原水導入管に加えて、膜分離装置からの濃縮水導出管も洗浄対象とすることができ、この場合には、上記洗浄用水を内圧型中空糸分離膜からの濃縮水導出管にも供給可能な洗浄用水供給系を備えている構造とすればよい。
【００１２】
また、上記のような洗浄においては、上記洗浄用水による洗浄後に、上記内圧型中空糸分離膜に対し薬液を通液して分離膜を洗浄するようにすることができる。この場合、薬液を循環、通液させて分離膜の洗浄により有効に使用することができる。とくに、この薬液循環系に、固液分離装置が設けられていると、該固液分離装置により分離された薬液を効率よく洗浄に再利用できる。また、固液分離装置により分離された薬液を貯留する薬液タンクが設けられていると、分離された薬液を一層効率よく洗浄に再利用することが可能になる。この固液分離装置と薬液タンクは、共用することも、つまり一つの装置に両機能を持たせることも可能である。
【００１３】
また、上記のような洗浄においては、原水導入管の洗浄とは独立に、内圧型中空糸分離膜を洗浄するための薬液を循環、通液するに際し、洗浄に使用された薬液を固液分離し、分離された薬液を洗浄に再利用することもできる。この場合にも、分離された薬液を薬液タンクに貯留した後洗浄に再利用するようにすることができる。
【００１４】
本発明に係る水処理装置は、重金属イオンを含む下排水またはその一次処理水を原水とし、この原水を直接、内圧型中空糸逆浸透膜または内圧型中空糸ナノフィルトレーション膜からなる内圧型中空糸分離膜に供給して重金属イオンの濃度を低減させることを特徴とするものからなる。この場合、前記内圧型中空糸分離膜にて処理された透過水に含まれる有機ハロゲン系化合物の濃度を、原水の１％以下にすることが好ましい。また、内圧型中空糸分離膜は、親水性素材、中でもセルロース系材料を含む素材からなることが好ましく、このような素材を用いることにより、膜面への汚染物質の付着が抑制され、Ｆｌｕｘの低下が起こりにくくなる。
【００１５】
また、上記本発明に係る水処理装置においては、洗浄システムを付加することが好ましい。すなわち、上記内圧型中空糸分離膜に上記原水を導入する原水導入管に、該原水導入管に供給された洗浄用水を実質的に内圧型中空糸分離膜へは導入させずに該原水導入管を通過させて排出する洗浄用水排水管が接続されている構造を採用することができる。また、洗浄用水を上記内圧型中空糸分離膜からの濃縮水導出管にも供給可能な洗浄用水供給系を備えていてもよい。
【００１６】
また、この洗浄システムには、上記内圧型中空糸分離膜に対し、薬液を通液して分離膜を洗浄する薬液洗浄系が設けられている構造を採用することができる。薬液洗浄系は循環系に構成することができる。この薬液循環系には固液分離装置が設けられていることが好ましい。このような固液分離装置を有する薬液循環系は、上述の原水導入管の洗浄系とは独立に設けられてもよい。このような薬液循環系には、上記固液分離装置により分離された薬液を貯留する薬液タンクが設けられていてもよく、固液分離装置と薬液タンクが共用された構造としてもよい。
【発明の効果】
【００１７】
本発明に係る水処理方法および装置によれば、重金属イオンを含む下排水またはその一次処理水からなる原水を、実質的に直接、内圧型中空糸逆浸透膜または内圧型中空糸ナノフィルトレーション膜からなる内圧型中空糸分離膜に供給して重金属イオンの除去処理を行うが、このような内圧型中空糸分離膜では従来のスパイラル型膜モジュールの場合にみられたような原水流路の閉塞が抑制されることから、従来のような除濁目的の前処理を行うことなく、除去処理を行うことが可能となり、原水中に含まれていた重金属イオンが簡略化されたシステムで効率よく安価に除去されるとともに、システム全体の簡略化、設置面積の低減、低コスト化が可能となる。とくに、内圧型中空糸分離膜に親水性素材、中でもセルロース系の素材を用いることにより、Ｆｌｕｘの低下を抑えつつ、良好な処理が可能となる。
【発明を実施するための最良の形態】
【００１８】
以下に、本発明の望ましい実施の形態について、図面を参照して説明する。
図１は、本発明の一実施態様に係る水処理装置を示している。図１において、被処理水として、生物処理を行ない、懸濁物質や重金属イオンを含む原水１は、ポンプ２により原水導入管３を介して分離膜モジュール４に送られる。分離膜モジュール４は、中空糸の内側に被処理水が加圧供給される内圧型の中空糸膜モジュールからなり、分離膜モジュール４内には、内圧型中空糸逆浸透膜または内圧型中空糸ナノフィルトレーション膜からなる内圧型中空糸分離膜５が設けられている。原水導入管３を介して供給される原水１は、実質的に直接、内圧型中空糸分離膜５（分離膜エレメント）に供給されて重金属イオンが除去、低減される。本実施態様では、原水１は、分離膜モジュール４の導入側ヘッダー６を介して各内圧型中空糸分離膜５の内側に供給され、中空糸膜を透過した水が透過水７（処理水）として取り出され、中空糸膜内を通過し濃縮された水が、分離膜モジュール４の導出側ヘッダー８、濃縮水導出管９を介して濃縮水１０として取り出されるようになっている。この透過水７は、原水１中に比べ、重金属イオンの濃度が、大幅に低減されている。同時に、有機ハロゲン系化合物濃度も、例えば１％以下へ低減される。なお、１１は原水１の供給を制御する開閉弁を、１２は透過水７の送出を制御する開閉弁を、１３は濃縮水１０の送出を制御する開閉弁を、それぞれ示している。また、本実施態様では、分離膜モジュール４は２つ並設されているが、単数でもよく、３つ以上並設されてもよい。分離膜モジュール４の数は、必要とされる造水量に応じて並設数を決めればよい。複数並設する場合には、原水導入管３、透過水導出管８および濃縮水導出管１０を、図示の如く共通の母管形態（導入側母管、導出側母管）として設ければよい。また、原水１としては、重金属イオンを含む下排水またはその一次水であればとくに限定されない。また、本実施態様では、分離膜モジュール４を縦型形態（上下方向配置形態）で示してあるが、横型形態（水平方向配置形態）とすることも可能である。さらに、本実施態様では、分離膜モジュール４は導入側ヘッダー６、導出側ヘッダー８を備えているが、このようなヘッダーを備えていない分離膜モジュールも多く、このようなヘッダーは必須の構成ではない。
【００１９】
このように、重金属イオンを含む原水１を、従来のような除濁目的の前処理を行うことなく、実質的に直接、内圧型中空糸分離膜５に供給しても、内圧型中空糸分離膜５が濁質等によって閉塞されることは抑制され、原水１中に含まれていた重金属イオンが効率よく除去されて、所望の低減効果が得られる。この内圧型中空糸分離膜５の膜素材としては、親水性素材、とくにセルロース系の物質を含む素材が良い。近年、ＲＯ膜やＮＦ膜の超低圧化が進み、ポリアミド（ＰＡ）系の膜が多く使用されているが、ＰＡ膜は汚れに弱く、特に前処理をせず直接使用すると、原水中の濁質やフミン質をはじめとする種々の汚染物質が膜表面に付着し、早期にＦｌｕｘの低下を引き起こす。一方、セルロース系の膜ではこの現象が起こりにくく、Ｆｌｕｘの低下は見られない。この理由は定かではないが、膜表面のゼータ電位の相違、親水性の相違、平滑度の相違などが要因であると考えられる。つまり、本発明に適した膜素材は、ゼータ電位はよりマイナス寄りであること、親水性が高いこと、平滑度が高いこと、が条件になるものと考えられる。このように、親水性が高い膜、とくにセルロース系の膜を使用することにより、除濁を目的とする前処理を行うことなく、内圧型中空糸分離膜５に実質的に直接原水１を供給して重金属イオンの除去処理を行うことが可能になる。その結果、システム全体の簡略化、設置面積の低減、低コスト化が可能となる。
【００２０】
さらに本実施態様では、所定期間処理後に分離膜モジュール４の性能を回復させるための洗浄系も設けられている。原水導入管３には、該原水導入管３に供給された洗浄用水を実質的に分離膜モジュール４へは導入させずに該原水導入管３を通過させて排水する洗浄用水排水管１４が接続されている。本実施態様では、洗浄用水として、原水１が使用され、ポンプ２により供給された洗浄用水としての原水１が、開閉弁１５を開とすることにより、原水導入管３を通過されて原水導入管３内を洗浄した後、洗浄により除去された配管内濁質等とともに、洗浄用水排水管１４を通して排出される。この洗浄排水１６は、適宜放流等に供すればよく、濃縮水１０と合流させて排出してもよい。なお、本実施態様では、洗浄用水として原水１を使用したが、別の洗浄用水（例えば、透過水７）を使用してもよい。また、洗浄用水を膜分離処理時の原水の流れ方向と同じ方向に供給し、排出するようにしたが、原水導入管３中を逆方向に流れるように供給することも可能である。例えば、図１に２点鎖線で示すように、原水導入管３の下流側に洗浄用水供給管１７を接続し、上流側に、逆方向に流された洗浄後の水を排出する洗浄用水排水管１８を接続することもできる。
【００２１】
原水導入管３に洗浄用水としての原水１が導入されることにより、後述の薬液洗浄前に、予め、該原水導入管３内に付着や堆積していた濁質等が洗い流されて除去され、除去された濁質等が洗浄後の水とともに洗浄用水排水管１４を通して排出される。分離膜モジュール４の導入側、少なくとも原水導入管３内が予め良好に洗浄されることにより、次に行われる分離膜に対する薬液洗浄時に、循環される薬液を原水導入管３の洗浄に消費しないでも済むようになり、分離膜の薬液洗浄に使用される薬液の量を大幅に低減することができ、洗浄コストが大幅に削減される。また、分離膜の薬液洗浄時間の短縮をはかることも可能となる。
【００２２】
また、本実施態様では、バイパス管１９、開閉弁２０、２１を介して、洗浄用水としての原水１を導出側母管（濃縮水導出管９）側にも供給可能となっており、導出側母管に洗浄用水を供給することにより、導出側においても同様に良好な事前配管洗浄を行うことができる。導出側の配管洗浄を加えれば、分離膜の薬液洗浄に使用される薬液の量はさらに低減される。
【００２３】
分離膜モジュール４の分離膜の洗浄については、主として薬液によって行われる。本実施態様では、分離膜モジュール４に対して、開閉弁２１、２２、２３を有する薬液の循環系２４が設けられている。使用する薬液は、分離膜モジュール４の分離膜の種類や、処理対象となる被処理水の性状等に応じて選択すればよく、特に限定されないが、シュウ酸、クエン酸等の有機酸、硝酸、塩酸等の無機酸、苛性ソーダ等のアルカリ、次亜塩素酸ソーダ、ヒドラジン、界面活性剤などが例示される。有機酸を使用する場合には、腐敗防止のために、防腐剤を添加してもよい。
【００２４】
上記薬液の循環系２４には、固液分離装置２５と、該固液分離装置２５により分離された薬液を貯留する薬液タンク２６が設けられている。固液分離装置２５は、本実施態様では、沈澱分離装置に構成されており、沈澱された分離膜からの除去固形分等が、沈澱槽２７の底部から開閉弁２８を介して引き抜かれ、分離された上澄液が、例えば溢流堰２９を介して薬液タンク２６へと回収され、洗浄用に再利用される。固液分離を行うことにより、分離された薬液が効率よく洗浄に再利用され、その分全体としての薬液使用量が一層削減されることになる。なお、上記固液分離装置２５と薬液タンク２６は、共用可能な装置に構成されてもよい。また、上記固液分離のタイミングは特に制限されないが、薬液洗浄直後に分離するタイミング、次回の薬液洗浄直前に分離するタイミング、などが例示される。固液分離の方法も特に制限されず、上記のような沈降分離の他、濾過（膜分離）などが例示される。
【００２５】
上記のように洗浄用水による配管の事前洗浄により、分離膜の洗浄に消費される薬液量は大幅に低減される。そして、固液分離装置２５を備えた薬液の循環系２４により薬液を再利用することにより、薬液使用量は一層大幅に削減される。このような薬液の循環系２４は、上記洗浄用水による配管の事前洗浄を伴わない場合にも、薬液使用量の低減効果を奏するものであり、この構成のみでも効果が得られる。
【００２６】
また、上記実施態様では、複数の分離膜モジュール４を並列に配置したが、直列に配置することも可能であり、前段の透過水を後段の被処理水として供給することも可能である。直列に複数段のモジュールを設置する場合、１段目には上記のような内圧型中空糸ＲＯ膜またはＮＦ膜を、２段目または２段目以降複数段目にはポリアミド（ＰＡ）を含む素材から作られたＰＡ系スパイラル型ＲＯ膜またはＮＦ膜をを用いるとさらに良い。ＰＡ系分離膜は汚れに弱いことは前述したが、１段目の処理によって、ＰＡ系分離膜の汚染原因は排除されるため、２段目以降に使用しても差し支えない。また１段目には、原水中の濁質による原水流路の閉塞を避けるため、内圧型中空糸を用いるが、この１段目で濁質等が排除されるため、スパイラル型エレメントを２段目以降に用いることができる。これらにより、複数段にわたって内圧型中空糸を用いるよりも、水質面、コスト面でのメリットが見込める。また、前処理も省略できることを考えると、非常に大きなメリットとなる。
【００２７】
すなわち、さらなる高度処理を目標とする場合には、２段以上の多段処理とし、重金属イオンを含む下排水またはその一次処理水を原水とし、１段目処理として、この原水を直接、内圧型中空糸逆浸透膜または内圧型中空糸ナノフィルトレーション膜からなる内圧型中空糸分離膜に供給して重金属イオンの濃度を低減させ、さらに、２段目以降においては、前段の透過水を被処理水として、例えば前記内圧型中空糸分離膜以外の形態の分離膜（例えば、スパイラル型や平膜型などの逆浸透膜またはナノフィルトレーション膜）に供給してさらに高度処理を行うことを特徴とする、水処理方法および装置の構成を採用することができる。
【実施例】
【００２８】
以下に例示する実施例は、発明実施の一つの形態を示すものであり、発明の内容を制限するものではない。
（実施例１）
産業廃水の一次処理水を原水として、図１に示すフローを用いて、本発明に関わる内圧型中空糸ＮＦ膜モジュールに通水し、１５００時間の試験を行った。膜モジュールは、ノリット社製ＮＦ５０を用いた。回収率は５０％とした。
【００２９】
（比較例１）
実施例１で使用した膜モジュールの代わりに、スパイラル型ＮＦ膜モジュールを使用して、同様の試験を行った。膜モジュールは、日東電工社製ＮＴＲ−７２５０を用いた。回収率は５０％とした。
【００３０】
（比較例２）
実施例１で使用した膜モジュールの代わりに、内圧型中空糸ＭＦ膜モジュールを使用して、同様の試験を行った。膜モジュールは、外圧型中空糸膜である、旭化成社製マイクローザＵＳＶ−３００３を内圧用として用いた。回収率は５０％とした。
【００３１】
使用した原水の水質を表１に、試験結果を表２に示す。
【００３２】
【表１】
2005046802.tif 000003
【００３３】
【表２】
2005046802.tif 000004
【００３４】
比較例１では、１５００時間到達前に、許容される通水差圧を超えてしまったため、運転を停止した。また、比較例２では、Ｆｌｕｘを高く維持することは可能であるが、溶解状態のＣｄやＣｒを除去する能力はない。これらに対し、実施例１では、安定したＦｌｕｘを保つことができ、さらに溶解状態のＣｄやＣｒを除去することもできた。ダイオキシン類に関しては、実施例１では好適に除去することができた。これに対し、比較例２では、運転初期の除去能力が低く、経時的にファウリングが起こることにより、除去能力が向上しているものの、除去能力は不十分である。また、データは示していないが、膜の洗浄後には除去能力が再び低下してしまう。なお、今回実施例１で用いた膜はポリアミド系の素材であった。平膜による試験段階ではあるものの、セルロース系の素材であれば、さらに長時間の運転でも、Ｆｌｕｘを一定に保つことが可能であるものと推定される。
【産業上の利用可能性】
【００３５】
本発明に係る水処理方法および装置は、とくに重金属イオンを含む原水に対し、除濁目的の前処理を大幅に簡略化しつつ所望の除去処理を行うことが要求されるシステムに好適なものである。
【図面の簡単な説明】
【００３６】
【図１】本発明の一実施態様に係る水処理装置の概略機器系統図である。
【符号の説明】
【００３７】
１  原水
２  ポンプ
３  原水導入管
４  分離膜モジュール
５  内圧型中空糸分離膜
６  導入側ヘッダー
７  透過水
８  導出側ヘッダー
９  濃縮水導出管（導出側母管）
１０  濃縮水
１１、１２、１３、１５、２０、２１、２２  ２３、２８  開閉弁
１４  洗浄用水排水管
１６  洗浄排水
１７  洗浄用水供給管
１８  洗浄用水排水管
１９  バイパス管
２４  薬液循環系
２５  固液分離装置
２６  薬液タンク
２７  沈澱槽
２９  溢流堰
【図１】
2005046802.tif 000005